(57)【特許請求の範囲】
【請求項１】
プリコーディング行列を獲得する、ネットワーク装置内における方法であって、前記ネットワーク装置が、交差偏波線形アレイ・アンテナの複数のグループを備え、前記方法が、
第１のコードワードを指示する第１のチャネル指示情報を獲得するステップと、
第２のコードワードを指示する第２のチャネル指示情報を獲得するステップと、
前記第１のチャネル指示情報と前記第２のチャネル指示情報に従って、前記プリコーディング行列を決定するステップとを含み、
前記第１のコードワードおよび／または前記第２のコードワードは、交差偏波線形アレイ・アンテナの前記複数のグループ間の位相シフトおよび振幅差を含み、
交差偏波線形アレイ・アンテナの前記複数のグループが、単一ストリーム・アンテナの２つのグループであり、前記第１のコードワードおよび前記第２のコードワードが、以下の式、すなわち、
【数１】
0005591399.tif 000008
、および
【数２】
0005591399.tif 000009
を介して獲得され、
ここで、ｗ１は、前記第１のコードワードであり、ｗ３は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、方法。
【請求項２】
プリコーディング行列を獲得する、ネットワーク装置内における方法であって、前記ネットワーク装置が、交差偏波線形アレイ・アンテナの複数のグループを備え、前記方法が、
第１のコードワードを指示する第１のチャネル指示情報を獲得するステップと、
第２のコードワードを指示する第２のチャネル指示情報を獲得するステップと、
前記第１のチャネル指示情報と前記第２のチャネル指示情報に従って、前記プリコーディング行列を決定するステップとを含み、
前記第１のコードワードおよび／または前記第２のコードワードは、交差偏波線形アレイ・アンテナの前記複数のグループ間の位相シフトおよび振幅差を含み、
交差偏波線形アレイ・アンテナの前記複数のグループが、２ストリーム・アンテナの２つのグループであり、前記第１のコードワードおよび前記第２のコードワードが、以下の式、すなわち、
ｗ１＝［ｄ１１ｗ３１，ｄ１２ｗ３２］、
【数３】
0005591399.tif 000010
、
【数４】
0005591399.tif 000011
、および
【数５】
0005591399.tif 000012
を介して獲得され、
ここで、ｗ１は、前記第１のコードワードであり、［ｗ３１，ｗ３２］は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、方法。
【請求項３】
ネットワーク装置にプリコーディング行列を提供する、ユーザ端末機器内における方法であって、前記プリコーディング行列が、第１のコードワードおよび第２のコードワードに従って獲得され、前記ネットワーク装置が、交差偏波線形アレイ・アンテナの複数のグループを備え、前記方法が、
第１のコードワードを指示する第１のチャネル指示情報を送信するステップと、
第２のコードワードを指示する第２のチャネル指示情報を送信するステップとを含み、
前記第１のコードワードおよび／または前記第２のコードワードが、交差偏波線形アレイ・アンテナの前記複数のグループ間の位相シフトおよび／または振幅差を含み、
交差偏波線形アレイ・アンテナの前記複数のグループが、単一ストリーム・アンテナの２つのグループであり、前記第１のコードワードおよび前記第２のコードワードが、以下の式、すなわち、
ｗ１＝ｄ１ｗ３、
【数６】
0005591399.tif 000013
、および
ｗ２＝ｄ２ｗ４、
【数７】
0005591399.tif 000014
を介して獲得され、
ここで、ｗ１は、前記第１のコードワードであり、ｗ３は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、方法。
【請求項４】
ネットワーク装置にプリコーディング行列を提供する、ユーザ端末機器内における方法であって、前記プリコーディング行列が、第１のコードワードおよび第２のコードワードに従って獲得され、前記ネットワーク装置が、交差偏波線形アレイ・アンテナの複数のグループを備え、前記方法が、
第１のコードワードを指示する第１のチャネル指示情報を送信するステップと、
第２のコードワードを指示する第２のチャネル指示情報を送信するステップとを含み、
前記第１のコードワードおよび／または前記第２のコードワードが、交差偏波線形アレイ・アンテナの前記複数のグループ間の位相シフトおよび／または振幅差を含み、
交差偏波線形アレイ・アンテナの前記複数のグループが、２ストリーム・アンテナの２つのグループであり、前記第１のコードワードおよび前記第２のコードワードが、以下の式、すなわち、
ｗ１＝［ｄ１１ｗ３１，ｄ１２ｗ３２］、
【数８】
0005591399.tif 000015
、
【数９】
0005591399.tif 000016
、および
ｗ２＝ｄ２ｗ４、
【数１０】
0005591399.tif 000017
を介して獲得され、
ここで、ｗ１は、前記第１のコードワードであり、［ｗ３１，ｗ３２］は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、方法。
【請求項５】
プリコーディング行列を獲得するための、ネットワーク装置内の獲得デバイスであって、前記ネットワーク装置が、交差偏波線形アレイ・アンテナの複数のグループを備え、前記獲得デバイスが、
第１のコードワードを指示する第１のチャネル指示情報を獲得するための第１の手段と、
第２のコードワードを指示する第２のチャネル指示情報を獲得するための第２の手段と、
前記第１のチャネル指示情報と前記第２のチャネル指示情報に従って、前記プリコーディング行列を決定するための第３の手段とを備え、
前記第１のコードワードおよび／または前記第２のコードワードが、交差偏波線形アレイ・アンテナの前記複数のグループ間の位相シフトおよび振幅差を含み、
交差偏波線形アレイ・アンテナの前記複数のグループが、単一ストリーム・アンテナの２つのグループであり、前記第１のコードワードおよび前記第２のコードワードが、以下の式、すなわち、
ｗ１＝ｄ１ｗ３、
【数１１】
0005591399.tif 000018
、および
ｗ２＝ｄ２ｗ４、
【数１２】
0005591399.tif 000019
を介して獲得され、
ここで、ｗ１は、前記第１のコードワードであり、ｗ３は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、獲得デバイス。
【請求項６】
プリコーディング行列を獲得するための、ネットワーク装置内の獲得デバイスであって、前記ネットワーク装置が、交差偏波線形アレイ・アンテナの複数のグループを備え、前記獲得デバイスが、
第１のコードワードを指示する第１のチャネル指示情報を獲得するための第１の手段と、
第２のコードワードを指示する第２のチャネル指示情報を獲得するための第２の手段と、
前記第１のチャネル指示情報と前記第２のチャネル指示情報に従って、前記プリコーディング行列を決定するための第３の手段とを備え、
前記第１のコードワードおよび／または前記第２のコードワードが、交差偏波線形アレイ・アンテナの前記複数のグループ間の位相シフトおよび振幅差を含み、
交差偏波線形アレイ・アンテナの前記複数のグループが、２ストリーム・アンテナの２つのグループであり、前記第１のコードワードおよび前記第２のコードワードが、以下の式、すなわち、
ｗ１＝［ｄ１１ｗ３１，ｄ１２ｗ３２］、
【数１３】
0005591399.tif 000020
、
【数１４】
0005591399.tif 000021
、および
ｗ２＝ｄ２ｗ４、
【数１５】
0005591399.tif 000022
を介して獲得され、
ここで、ｗ１は、前記第１のコードワードであり、［ｗ３１，ｗ３２］は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、獲得デバイス。
【請求項７】
ネットワーク装置にプリコーディング行列を提供するための、ユーザ端末機器内の提供デバイスであって、前記プリコーディング行列が、第１のコードワードおよび第２のコードワードに従って獲得され、前記ネットワーク装置が、交差偏波線形アレイ・アンテナの複数のグループを備え、前記提供デバイスが、
前記第１のコードワードを指示する第１のチャネル指示情報を送信するための第４の手段と、
前記第２のコードワードを指示する第２のチャネル指示情報を送信するための第５の手段とを備え、
前記第１のコードワードおよび／または前記第２のコードワードが、交差偏波線形アレイ・アンテナの前記複数のグループ間の位相シフトおよび／または振幅差を含み、
交差偏波線形アレイ・アンテナの前記複数のグループが、単一ストリーム・アンテナの２つのグループであり、前記第１のコードワードおよび前記第２のコードワードが、以下の式、すなわち、
ｗ１＝ｄ１ｗ３、
【数１６】
0005591399.tif 000023
、および
ｗ２＝ｄ２ｗ４、
【数１７】
0005591399.tif 000024
を介して獲得され、
ここで、ｗ１は、前記第１のコードワードであり、ｗ３は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、提供デバイス。
【請求項８】
ネットワーク装置にプリコーディング行列を提供するための、ユーザ端末機器内の提供デバイスであって、前記プリコーディング行列が、第１のコードワードおよび第２のコードワードに従って獲得され、前記ネットワーク装置が、交差偏波線形アレイ・アンテナの複数のグループを備え、前記提供デバイスが、
前記第１のコードワードを指示する第１のチャネル指示情報を送信するための第４の手段と、
前記第２のコードワードを指示する第２のチャネル指示情報を送信するための第５の手段とを備え、
前記第１のコードワードおよび／または前記第２のコードワードが、交差偏波線形アレイ・アンテナの前記複数のグループ間の位相シフトおよび／または振幅差を含み、
交差偏波線形アレイ・アンテナの前記複数のグループが、２ストリーム・アンテナの２つのグループであり、前記第１のコードワードおよび前記第２のコードワードが、以下の式、すなわち、
ｗ１＝［ｄ１１ｗ３１，ｄ１２ｗ３２］、
【数１８】
0005591399.tif 000025
、
【数１９】
0005591399.tif 000026
、および
ｗ２＝ｄ２ｗ４、
【数２０】
0005591399.tif 000027
を介して獲得され、
ここで、ｗ１は、前記第１のコードワードであり、［ｗ３１，ｗ３２］は、交差偏波線形アレイ・アンテナの前記複数のグループ間の前記位相シフトおよび／または振幅差を含まない、第３のコードワードであり、ｗ２は、前記第２のコードワードであり、ｗ４は、交差偏波線形アレイ・アンテナの前記複数のグループ間の前記位相シフトおよび／または振幅差を含まない、第４のコードワードであり、Ｎは、アンテナの各グループにおけるアンテナ数であり、ａ１およびａ２は、前記位相シフトおよび／または振幅差である、
ことを特徴とする、提供デバイス。
【発明の詳細な説明】
【技術分野】
【０００１】
本発明は、ワイヤレス通信に関し、特に、プリコーディング行列を獲得するための方法およびデバイスに関する。
【背景技術】
【０００２】
閉ループ多入力多出力（ＭＩＭＯ）システムでは、通信中、受信機は、送信データ信号のためにチャネル情報を送信機にフィードバックする必要がある。
【０００３】
Ｎｔ個の送信アンテナとＮｒ個の受信アンテナを有するＭＩＭＯシステムについて検討するが、Ｍｔは、送信される空間多重化データフローの数を表し、Ｍｔ×１型のベクトルｘは、データフローによって搬送される信号を表し、プリコーディング行列Ｗは、Ｎｔ×Ｍｔ次元の行列であり、
ｚ＝Ｗｘ
のように、ベクトルｘをＮｔ×１次元のベクトルｚに変換する。ベクトルｚは、送信アンテナによって送信される実際の信号である。受信アンテナによって受信される信号は、
ｒ＝ＨＷｘ＋ｎ
と表される。ここで、Ｈは、チャネル行列を表し、ｎは、ガウス白色雑音ベクトルを表す。
【０００４】
フィードバック・オーバヘッドを考慮しない場合、Ｗの最適な選択は、行列Ｈの右特異ベクトルである。しかし、これらの特異ベクトルのフィードバックのコストは大きい。したがって、フィードバックが抑えられた閉ループＭＩＭＯプリコーディングのソリューションが提案されている。各送信アンテナ次元に対して、プリコーディング行列またはベクトルのグループが構成され、プリコーディング行列またはベクトル（以下では行列と呼ぶ）のこのグループは、「コードブック（ｃｏｄｅｂｏｏｋ）」と呼ばれる。基地局および移動局はともに、このコードブックを知ることが可能であり、コードブックは、Ｐ＝｛Ｐ１，・・・，ＰＬ｝と表され、この中の各行列は、「コードワード（ｃｏｄｅ  ｗｏｒｄ）」と呼ばれる。Ｌ＝２ｑがコードブックのサイズを表す場合、ｑは、コードブックにインデックスを付けるために必要なビット数である。一例として、４×２  ＭＩＭＯシステムを取り上げると、コードブックのサイズがＬ＝６４である場合、送信機がプリコーディング行列を選択するために、フィードバックにたった６ビットの情報が必要になるだけである。ＭＩＭＯシステムのコードブックが決定された後、受信機は、チャネルを検出し、今の瞬間にとって最適なコードワード（プリコーディング行列）を選択し、その後、コードワードのインデックスが、送信機にフィードバックされる。ＭＩＭＯシステムは、そのような抑制されたコードブック・インデックス・フィードバックを用いることで、フィードバック・オーバヘッドを大幅に節約することができる。
【０００５】
ＭＩＭＯシステムは、量子化されたチャネル行列コードブック・インデックスをフィードバックする、フィードバックが抑えられたソリューションを使用することもでき、すなわち、量子化されたチャネル行列コードブックが、あらかじめ構成されて、送信機および受信機に保存され、受信機は、チャネルを検出し、量子化されたチャネル行列コードブックから今の瞬間にとって最適なコードワードを選択し、コードワードのインデックスをフィードバックし、送信機は、インデックスに対応するコードワードに従って、現在のチャネル送信行列を決定し、その後、現在のチャネル送信行列に従って、データ送信にとって最適なプリコーディング行列を計算する。
【０００６】
３ＧＰＰ  ＲＡＮ１の議論では、ＬＴＥ−Ａ（ロング・ターム・エボリューション・システム−アドバンスト）システムにおけるチャネル情報のフィードバックについて、モバイル端末が基地局にプリコーディング行列をフィードバックする場合、２つの別々のコードブックから２つのコードワードをそれぞれ選択し、基地局に報告できることが合意された。２つのコードワードのうち、一方は、広帯域および／または長期チャネル特性を表すために使用され、他方は、（サブバンドなどの）周波数選択性および／または短期チャネル特性を表すために使用される。基地局は、２つのコードワードの積に従って、プリコーディング行列を獲得する。ユーザ端末は、容量最大化原理、またはチャネル相関行列の固有ベクトルの最小距離の原理に従って、広帯域および／または長期チャネル特性を表すためのコードワードを決定し、その後、リアルタイムのチャネル状態に従って、（サブバンドなどの）周波数選択性および／または短期チャネル特性を表すためのコードワードを決定することができる。
【０００７】
実用上では、交差偏波線形アレイ（ＣＬＡ：ｃｒｏｓｓ−ｐｏｌａｒｉｚｅｄ  ｌｉｎｅａｒ  ａｒｒａｙ）が、アンテナ構成の典型的な方法である。アンテナ偏波は、アンテナ放射中に形成される電界強度の方向を表す。電界強度の方向が地面と垂直である場合、電波は垂直偏波と呼ばれ、電界強度の方向が地面と平行である場合、電波は水平偏波と呼ばれる。交差偏波アンテナは、偏波共用アンテナ（ｄｕａｌ−ｐｏｌａｒｉｚｅｄ  ａｎｔｅｎｎａ）の一種である。
【先行技術文献】
【非特許文献】
【０００８】
【非特許文献１】３ＧＰＰ  ＴＳ  ３６．２１１  Ｖ８．８．０
【発明の概要】
【発明が解決しようとする課題】
【０００９】
本発明の発明者は、既存のコードブックはどれも、交差偏波線形アレイ・アンテナの偏波性能を考慮しておらず、すなわち、異なる偏波アンテナ間の相対位相シフトおよび振幅差が原因で、チャネル情報のフィードバック内に、システム性能に影響するような、大きな誤差が存在する可能性があることに気づいた。交差偏波線形アレイ・アンテナについては、モバイル端末が基地局にプリコーディング行列をフィードバックする場合、コードワードの送信時に、交差偏波線形アレイ・アンテナの偏波性能が考慮されるならば、基地局によって決定されるプリコーディング行列は、ダウンリンク・チャネル情報をより正確に反映することができ、システム性能を効果的に改善する。
【課題を解決するための手段】
【００１０】
上述の技術的問題により良く対処するため、本発明の第１の態様の一実施形態によれば、プリコーディング行列を獲得する、ネットワーク装置内における方法が提供される。ネットワーク装置は、交差偏波線形アレイ・アンテナの複数のグループを備える。方法は、
第１のコードワードを指示する第１のチャネル指示情報を獲得するステップと、
第２のコードワードを指示する第２のチャネル指示情報を獲得するステップと、
第１のチャネル指示情報と第２のチャネル指示情報に従って、プリコーディング行列を決定するステップとを含み、
第１のコードワードおよび／または第２のコードワードは、交差偏波線形アレイ・アンテナの複数のグループ間の位相シフトおよび振幅差を含む。
【００１１】
ネットワーク装置によってプリコーディング行列を決定するための第１のコードワードおよび第２のコードワードは、交差偏波線形アレイ・アンテナ間の位相シフトおよび振幅差を含むので、ネットワーク装置がプリコーディング行列に従ってダウンリンク・データを送信する場合、交差偏波線形アレイ・アンテナ間の位相シフトおよび振幅差が考慮されて、送信データの受信品質を改善することができ、システム性能を効果的に改善する。
【００１２】
本発明の第２の態様の一実施形態によれば、ネットワーク装置にプリコーディング行列を提供する、ユーザ端末機器内における方法が提供される。プリコーディング行列は、第１のコードワードおよび第２のコードワードに従って獲得され、ネットワーク装置は、交差偏波線形アレイ・アンテナの複数のグループを備え、方法は、
第１のコードワードを指示する第１のチャネル指示情報を送信するステップと、
第２のコードワードを指示する第２のチャネル指示情報を送信するステップとを含み、
第１のコードワードおよび／または第２のコードワードは、交差偏波線形アレイ・アンテナの複数のグループ間の位相シフトおよび／または振幅差を含む。
【００１３】
ユーザ端末機器によって送信される第１のコードワードおよび第２のコードワードは、交差偏波線形アレイ・アンテナ間の位相シフトおよび振幅差を含むので、ネットワーク装置が第１のコードワードおよび第２のコードワードに従ってダウンリンク・データを決定する場合、交差偏波線形アレイ・アンテナ間の位相シフトおよび振幅差が考慮される。したがって、ネットワーク装置がプリコーディング行列に従ってダウンリンク・データを送信する場合、交差偏波線形アレイ・アンテナ間の位相シフトおよび振幅差が考慮されて、送信データの受信品質を改善することができ、それによって、システム性能を効果的に改善する。
【００１４】
本発明の第３の態様の一実施形態によれば、プリコーディング行列を獲得するための、ネットワーク装置内の獲得デバイスが提供される。ネットワーク装置は、交差偏波線形アレイ・アンテナの複数のグループを備える。獲得デバイスは、
第１のコードワードを指示する第１のチャネル指示情報を獲得するための第１の手段と、
第２のコードワードを指示する第２のチャネル指示情報を獲得するための第２の手段と、
第１のチャネル指示情報と第２のチャネル指示情報に従って、プリコーディング行列を決定するための第３の手段とを備え、
第１のコードワードおよび／または第２のコードワードは、交差偏波線形アレイ・アンテナの複数のグループ間の位相シフトおよび／または振幅差を含む。
【００１５】
本発明の第４の態様の一実施形態によれば、ネットワーク装置にプリコーディング行列を提供するための、ユーザ端末機器内の提供デバイスが提供される。プリコーディング行列は、第１のコードワードおよび第２のコードワードに従って獲得され、ネットワーク装置は、交差偏波線形アレイ・アンテナの複数のグループを備え、提供デバイスは、
第１のコードワードを指示する第１のチャネル指示情報を送信するための第４の手段と、
第２のコードワードを指示する第２のチャネル指示情報を送信するための第５の手段とを備え、
第１のコードワードおよび／または第２のコードワードは、交差偏波線形アレイ・アンテナの複数のグループ間の位相シフトおよび／または振幅差を含む。
【００１６】
本発明の各態様は、以下の詳細な実施形態についての説明から、より明らかになろう。
【００１７】
本発明の上述および他の特徴は、添付の図面と併せて理解される、非限定的で例示的な実施形態についての以下の詳細な説明を読むことで、より明らかになろう。
【図面の簡単な説明】
【００１８】
【図１】本発明の一実施形態による、プリコーディング行列を獲得する、ネットワーク装置内における方法のフローチャートである。
【図２】本発明の一実施形態による、ネットワーク装置にプリコーディング行列を提供する、ユーザ端末機器内における方法のフローチャートである。
【図３】本発明の一態様の実施形態による、プリコーディング行列を獲得するための獲得デバイスの概略図である。
【図４】本発明の一態様の一実施形態による、プリコーディング行列を提供するための提供デバイスの概略図である。
【発明を実施するための形態】
【００１９】
図面では、同一または同様の参照符号は、同一または同様の構成要素を指す。
【００２０】
以下では、本発明が、図面を参照しながら詳細に説明される。
【００２１】
図１は、本発明の一実施形態による、プリコーディング行列を獲得する、ネットワーク装置内における方法のフローチャートである。
【００２２】
本発明の第１の態様の一実施形態によれば、プリコーディング行列を獲得する、ネットワーク装置内における方法が提供される。ネットワーク装置は、交差偏波線形アレイ・アンテナの複数のグループを備える。
【００２３】
ネットワーク装置は、基地局、中継局、無線ネットワーク・コントローラなど、複数の方法によって実施することができる。ダウンリンク・チャネルとは、ユーザ端末によって信号を受信するためのチャネルのことを指す。
【００２４】
図１を参照すると、方法は、ネットワーク装置が、第１のコードワードを指示する第１のチャネル指示情報を獲得する、ステップ１１０を含む。
【００２５】
ネットワーク装置は、複数の方法によって、第１のチャネル指示情報を獲得することができる。例えば、ネットワーク装置は、ユーザ端末機器から直接的に第１のチャネル指示情報を受信する。または、ネットワーク装置は、他のネットワーク装置から第１のチャネル指示情報を受信する。
【００２６】
第１のチャネル指示情報は、複数の方法によって、第１のコードワードを指示することができる。一実施形態では、第１のチャネル指示情報のビット数が、指示され得るコードワードの数を決定する。例えば、コードブック内に４つのコードワードが存在すると、第１のチャネル指示情報は、第１のコードワードを指示するのに、２ビットを必要とする。
【００２７】
方法は、ネットワーク装置が、第２のコードワードを指示する第２のチャネル指示情報を獲得する、ステップ１２０をさらに含む。
【００２８】
ネットワーク装置は、複数の方法によって、第２のチャネル指示情報を獲得することができる。例えば、ネットワーク装置は、ユーザ端末機器から直接的に第２のチャネル指示情報を受信する。または、ネットワーク装置は、他のネットワーク装置から第２のチャネル指示情報を受信する。
【００２９】
第２のチャネル指示情報は、複数の方法によって、第２のコードワードを指示することができる。一実施形態では、第２のチャネル指示情報のビット数が、指示され得るコードワードの数を決定する。例えば、コードブック内に８つのコードワードが存在すると、第２のチャネル指示情報は、第２のコードワードを指示するのに、３ビットを必要とする。
【００３０】
方法は、ネットワーク装置が、第１のチャネル指示情報と第２のチャネル指示情報に従って、プリコーディング行列を決定する、ステップ１３０をさらに含む。
【００３１】
ネットワーク装置は、複数の方法によって、プリコーディング行列を決定することができる。一実施形態では、ネットワーク装置は、第１のコードワードと第２のコードワードの積をプリコーディング行列として採用する。
【００３２】
第１のコードワードおよび／または第２のコードワードは、交差偏波線形アレイ・アンテナの複数のグループ間の位相シフトおよび／または振幅差を含み、すなわち、第１のコードワードおよび／または第２のコードワードは、交差偏波線形アレイ・アンテナの複数のグループ間の位相シフトおよび／または振幅差を考慮する。ネットワーク装置によってプリコーディング行列を決定するための第１のコードワードおよび第２のコードワードは、交差偏波線形アレイ・アンテナ間の位相シフトおよび振幅差を含むので、ネットワーク装置がプリコーディング行列に従ってダウンリンク・データを送信する場合、交差偏波線形アレイ・アンテナ間の位相シフトおよび振幅差が考慮されて、送信データの受信品質を改善することができ、システム性能を効果的に改善する。
【００３３】
第１のコードワードおよび第２のコードワードは、複数の方法によって、交差偏波線形アレイ・アンテナの複数のグループ間の位相シフトおよび／または振幅差を含むことができる。
【００３４】
一実施形態では、交差偏波線形アレイ・アンテナの複数のグループは、単一ストリーム・アンテナの２つのグループであり、第１のコードワードは、式１と、行列ｄ１によって獲得され、第２のコードワードは、式２と、行列ｄ２によって獲得される。単一ストリーム・アンテナとは、１つのデータ・ストリームを送信するだけのアンテナのことである。
【００３５】
【数１】
0005591399.tif 000002
【００３６】
【数２】
0005591399.tif 000003
上記の式および行列において、ｗ１は、第１のコードワードであり、ｗ３は、交差偏波線形アレイ・アンテナの複数のグループ間の位相シフトおよび／または振幅差を含まない、第３のコードワードであり、ｗ２は、第２のコードワードであり、ｗ４は、交差偏波線形アレイ・アンテナの複数のグループ間の位相シフトおよび／または振幅差を含まない、第４のコードワードであり、Ｎは、アンテナの各グループにおけるアンテナ数であり、ａ１およびａ２は、交差偏波線形アレイ・アンテナの２つのグループ間の位相シフトおよび／または振幅差である。ｄｉａｇは、対角行列を表す。
【００３７】
第３のコードワードおよび第４のコードワードはともに、交差偏波線形アレイ・アンテナの２つのグループ間の位相シフトおよび／または振幅差を考慮せず、例えば、３ＧＰＰ  ＴＳ  ３６．２１１  Ｖ８．８．０におけるコードブック内のコードワードである。
【００３８】
どのコードワードが位相シフトおよび振幅差を含むかは、第１のコードワードおよび第２のコードワードの送信周波数と、システムのシグナリング負荷とに従って、決定することができる。位相シフトおよび振幅差の詳細な値は、詳細なワイヤレス・アプリケーション環境に従って、決定することができる。例えば、システム性能をより良くすることができる位相シフトおよび振幅差の値は、ワイヤレス・アプリケーション環境下でシステム性能をシミュレートすることによって決定され、すべての当業者は、対応するシミュレーション方法を知っているはずであり、ここでは、それを繰り返さない。
【００３９】
一実施形態では、ａ１＝１、
【００４０】
【数３】
0005591399.tif 000004
である。ｗ３は、指示するのに４ビットの情報を必要とし、ｗ４は、指示するのに２ビットの情報を必要とすると仮定すると、ｗ１は、指示するのに４ビットの情報をやはり必要とし、ｗ２は、位相シフトを含み、指示するのに４ビットの情報を必要とする。知られた方法とは対照的に、第２のコードワードを指示する情報のシグナリング負荷が増加するであろう。
【００４１】
別の実施形態では、ａ１∈｛ｒｅｊθ｜ｒ∈｛０．２，０．５，１，２｝，θ∈｛０，π，π／４，−π／４｝｝、ａ２＝１である。ｗ３は、指示するのに４ビットの情報を必要とし、ｗ４は、指示するのに２ビットの情報を必要とすると仮定すると、ｗ１は、位相シフトおよび振幅差を含み、指示するのに８ビットの情報を必要とし、ｗ２は、指示するのに２ビットの情報をやはり必要とする。知られた方法とは対照的に、第１のコードワードを指示する情報のシグナリング負荷が増加するであろう。
【００４２】
また別の実施形態では、ａ１∈｛０．２，０．５，１，２｝、
【００４３】
【数４】
0005591399.tif 000005
である。ｗ３は、指示するのに４ビットの情報を必要とし、ｗ４は、指示するのに２ビットの情報を必要とすると仮定すると、ｗ１は、振幅差を含み、指示するのに６ビットの情報を必要とし、ｗ２は、位相シフトを含み、指示するのに４ビットの情報を必要とする。知られた方法とは対照的に、第１のコードワードおよび第２のコードワードを指示する両方の情報のシグナリング負荷が増加するであろう。
【００４４】
また別の実施形態では、ａ１＝１、ａ２∈｛ｒｅｊθ｜ｒ∈｛０．２，０．５，１，２｝，θ∈｛０，π，π／４，−π／４｝｝である。ｗ３は、指示するのに４ビットの情報を必要とし、ｗ４は、指示するのに２ビットの情報を必要とすると仮定すると、ｗ１は、指示するのに４ビットの情報をやはり必要とし、ｗ２は、位相シフトおよび振幅差を含み、指示するのに６ビットの情報を必要とする。知られた方法とは対照的に、第２のコードワードを指示する情報のシグナリング負荷が増加するであろう。
【００４５】
一実施形態では、交差偏波線形アレイ・アンテナの複数のグループは、２ストリーム・アンテナの２つのグループであり、第１のコードワードは、式３と、行列ｄ１１および行列ｄ１２によって獲得され、第２のコードワードは、式４と、行列ｄ２によって獲得される。２ストリーム・アンテナとは、２つのデータ・ストリームを同期して送信するアンテナのことである。
【００４６】
【数５】
0005591399.tif 000006
【００４７】
【数６】
0005591399.tif 000007
【００４８】
上記の式および行列において、ｗ１は、第１のコードワードであり、［ｗ３１，ｗ３２］は、交差偏波線形アレイ・アンテナの複数のグループ間の位相シフトおよび／または振幅差を含まない、第３のコードワードであり、ｗ２は、第２のコードワードであり、ｗ４は、交差偏波線形アレイ・アンテナの複数のグループ間の位相シフトおよび／または振幅差を含まない、第４のコードワードであり、Ｎは、アンテナの各グループにおけるアンテナ数であり、ａ１およびａ２は、交差偏波線形アレイ・アンテナの２つのグループ間の位相シフトおよび／または振幅差である。ｄｉａｇは、対角行列を表す。＊は、共役を表す。
【００４９】
第３のコードワードおよび第４のコードワードはともに、交差偏波線形アレイ・アンテナの２つのグループ間の位相シフトおよび／または振幅差を考慮しない。
【００５０】
上述の複数の実施形態では、第１のコードワードは、広帯域および／または長期チャネル特性を表すためのコードワードであることができ、第２のコードワードは、（サブバンドなどの）周波数選択性および／または短期チャネル特性を表すためのコードワードであることができ、または第２のコードワードは、広帯域および／または長期チャネル特性を表すためのコードワードであることができ、第１のコードワードは、（サブバンドなどの）周波数選択性および／または短期チャネル特性を表すためのコードワードとすることができる。
【００５１】
加えて、コードブック内の他のコードワードも、交差偏波線形アレイ・アンテナの複数のグループ間の位相シフトおよび／または振幅差を含むために、上述の方法を使用することができる。
【００５２】
図２は、本発明の一実施形態による、ネットワーク装置にプリコーディング行列を提供する、ユーザ端末機器内における方法のフローチャートである。
【００５３】
本発明の第２の態様の一実施形態によれば、ネットワーク装置にプリコーディング行列を提供する、ユーザ端末機器内における方法が提供される。プリコーディング行列は、第１のコードワードおよび第２のコードワードに従って獲得され、ネットワーク装置は、交差偏波線形アレイ・アンテナの複数のグループを備える。ユーザ端末機器は、ハンドセット、ノートブック・コンピュータなど、複数の方法によって実施することができる。
【００５４】
図２を参照すると、方法は、ユーザ端末機器が、第１のコードワードを指示する第１のチャネル指示情報を送信する、ステップ２１０を含む。
【００５５】
方法は、ユーザ端末機器が、第２のコードワードを指示する第２のチャネル指示情報を送信する、ステップ２２０をさらに含む。
【００５６】
第１のコードワードおよび第２のコードワードはともに、ユーザ端末機器によって、２つの別々のコードブックからそれぞれ選択される。ユーザ端末は、容量最大化原理、またはチャネル相関行列の固有ベクトルの最小距離の原理に従って、広帯域および／または長期チャネル特性を表すためのコードワードを決定し、その後、リアルタイムのチャネル状態に従って、（サブバンドなどの）周波数選択性および／または短期チャネル特性を表すためのコードワードを決定することができる。当業者は、詳細な選択方法を知っており、ここでは、それを繰り返さない。
【００５７】
第１のコードワードおよび／または第２のコードワードは、交差偏波線形アレイ・アンテナの複数のグループ間の位相シフトおよび／または振幅差を含み、すなわち、第１のコードワードおよび／または第２のコードワードは、交差偏波線形アレイ・アンテナの複数のグループ間の位相シフトおよび／または振幅差を考慮する。ユーザ端末機器によって送信される第１のコードワードおよび第２のコードワードは、交差偏波線形アレイ・アンテナ間の位相シフトおよび振幅差を含むので、ネットワーク装置が第１のコードワードおよび第２のコードワードに従ってプリコーディング行列を決定する場合、交差偏波線形アレイ・アンテナ間の位相シフトおよび振幅差が考慮される。したがって、ネットワーク装置がプリコーディング行列に従ってダウンリンク・データを送信する場合、交差偏波線形アレイ・アンテナ間の位相シフトおよび振幅差が考慮されて、送信データの受信品質を改善することができ、それによって、システム性能を効果的に改善する。
【００５８】
第１のコードワードおよび第２のコードワードは、複数の方法によって、交差偏波線形アレイ・アンテナの複数のグループ間の位相シフトおよび／または振幅差を含むことができる。
【００５９】
一実施形態では、交差偏波線形アレイ・アンテナの複数のグループは、単一ストリーム・アンテナの２つのグループであり、第１のコードワードは、上記の式１と、行列ｄ１によって獲得され、第２のコードワードは、上記の式２と、行列ｄ２によって獲得される。
【００６０】
別の実施形態では、交差偏波線形アレイ・アンテナの複数のグループは、２ストリーム・アンテナの２つのグループであり、第１のコードワードは、式３と、行列ｄ１１および行列ｄ１２によって獲得され、第２のコードワードは、式４と、行列ｄ２によって獲得される。
【００６１】
図３は、本発明の一態様の実施形態による、プリコーディング行列を獲得するための獲得デバイスの概略図である。
【００６２】
本発明の第３の態様の一実施形態によれば、プリコーディング行列を獲得するための、ネットワーク装置内の獲得デバイスが提供される。ネットワーク装置は、交差偏波線形アレイ・アンテナの複数のグループを備える。
【００６３】
図３を参照すると、獲得デバイス３００は、第１の手段３１０と、第２の手段３２０と、第３の手段３３０とを備える。
【００６４】
第１の手段３１０は、第１のコードワードを指示する第１のチャネル指示情報を獲得するために使用される。
【００６５】
第２の手段３２０は、第２のコードワードを指示する第２のチャネル指示情報を獲得するために使用され、
第３の手段３３０は、第１のチャネル指示情報と第２のチャネル指示情報に従って、プリコーディング行列を決定するために使用される。
【００６６】
第１のコードワードおよび／または第２のコードワードは、交差偏波線形アレイ・アンテナの複数のグループ間の位相シフトおよび／または振幅差を含む。
【００６７】
第１のコードワードおよび第２のコードワードは、複数の方法によって、交差偏波線形アレイ・アンテナの複数のグループ間の位相シフトおよび／または振幅差を含むことができる。
【００６８】
一実施形態では、交差偏波線形アレイ・アンテナの複数のグループは、単一ストリーム・アンテナの２つのグループであり、第１のコードワードは、上記の式１と、行列ｄ１によって獲得され、第２のコードワードは、上記の式２と、行列ｄ２によって獲得される。
【００６９】
別の実施形態では、交差偏波線形アレイ・アンテナの複数のグループは、２ストリーム・アンテナの２つのグループであり、第１のコードワードは、式３と、行列ｄ１１および行列ｄ１２によって獲得され、第２のコードワードは、式４と、行列ｄ２によって獲得される。
【００７０】
図４は、本発明の一態様の一実施形態による、プリコーディング行列を提供するための提供デバイスの概略図である。
【００７１】
本発明の第４の態様の一実施形態によれば、ネットワーク装置にプリコーディング行列を提供するための、ユーザ端末機器内の提供デバイスが提供される。プリコーディング行列は、第１のコードワードおよび第２のコードワードに従って獲得され、ネットワーク装置は、交差偏波線形アレイ・アンテナの複数のグループを備える。
【００７２】
図４を参照すると、提供デバイス４００は、第４の手段４１０と、第５の手段４２０とを備える。
【００７３】
第４の手段４１０は、第１のコードワードを指示する第１のチャネル指示情報を送信するために使用される。
【００７４】
第５の手段４２０は、第２のコードワードを指示する第２のチャネル指示情報を送信するために使用される。
【００７５】
第１のコードワードおよび／または第２のコードワードは、交差偏波線形アレイ・アンテナの複数のグループ間の位相シフトおよび／または振幅差を含む。
【００７６】
第１のコードワードおよび第２のコードワードは、複数の方法によって、交差偏波線形アレイ・アンテナの複数のグループ間の位相シフトおよび／または振幅差を含むことができる。
【００７７】
一実施形態では、交差偏波線形アレイ・アンテナの複数のグループは、単一ストリーム・アンテナの２つのグループであり、第１のコードワードは、上記の式１と、行列ｄ１によって獲得され、第２のコードワードは、上記の式２と、行列ｄ２によって獲得される。
【００７８】
別の実施形態では、交差偏波線形アレイ・アンテナの複数のグループは、２ストリーム・アンテナの２つのグループであり、第１のコードワードは、式３と、行列ｄ１１および行列ｄ１２によって獲得され、第２のコードワードは、式４と、行列ｄ２によって獲得される。
【００７９】
当業者には、本発明が、上述の例示的な実施形態の細部に限定されず、本発明が、本発明の主旨または基本的な特徴から逸脱することなく、他の特定の形態で実現できることが明らかである。したがって、どの態様においても、実施形態は、例示的で非限定的と見なされるべきであり、請求項内の参照符号はどれも、関連する請求項を限定すると見なされるべきではない。さらに、「ｃｏｍｐｒｉｓｅ（含む／備える）」という語は、他の要素またはステップを排除するものではなく、要素の前に置かれる「ａ／ａｎ」という語は、複数のそのような要素を排除するものではないことが明らかである。製品クレーム内で説明される複数の要素は、ハードウェアまたはソフトウェアを用いて１つの要素によって実施することができる。「第１」、「第２」などの用語は、いかなる特定の順序でもなく、名前を表すために使用される。
【図１】
0005591399.tif 000028
【図２】
0005591399.tif 000029
【図３】
0005591399.tif 000030
【図４】
0005591399.tif 000031